(57)【要約】 【課題】  解体と組立てが簡単に行える茶室を提供する。【解決手段】  横板８を構成する左右の半板１１、１２を内側に折り曲げつつ、一対の縦板９、９を重なる方向に移動させる。そして、最終的には図６に示すように、一対の縦板９、９間に折り曲げられた半板１１、１２が重なって押し込まれ、全体として脚部材３は横板８及び縦板９を構成する板材が４枚重なった厚みとなる。【選択図】  図６
2014114537.tif 000002
【特許請求の範囲】
【請求項１】
組立て及び分解が可能な茶室の床構造であって、この床構造は中央メンバとこの中央メンバを囲む周囲メンバからなり、各メンバは脚部材とこの脚部材の上にセットされる畳載置部材から構成され、各メンバの平面視での外形形状は畳半畳と等しく、前記中央メンバの畳載置部材の１つの角部に寄った位置には窯を入れるための矩形状切欠きが形成され、また前記脚部材は一対の横板と一対の縦板とが蝶番で連結され、前記一対の横板と一対の縦板の一方を更に２枚の半板に分割しこれら半板を蝶番で連結することで、前記脚部材は拡げた状態で矩形枠となり、折り畳んだ状態で一対の横板間または一対の縦板間に２枚重なった半板が挟まれ、折り畳んだ状態で４枚の板が重なることを特徴とする茶室の床構造。
【請求項２】
請求項１に記載の茶室の床構造において、組立てた状態で全体の脚部材の外側を枠板で固定することを特徴とする茶室の床構造。
【発明の詳細な説明】
【技術分野】
【０００１】
本発明は、組立て及び解体が可能な茶室の床構造に関する。
【背景技術】
【０００２】
特許文献１には移動式の茶室が提案されている。この茶室は土台と壁体と屋根からなり土台にはキャスターが付いており、このキャスターによって茶室全体を移動させることができ、また、茶室全体をトラックなどに搭載して移動することも提案している。
【０００３】
特許文献２には、通常の茶室では１つしかない炉を複数設けることで、それぞれの炉を用いて１つの茶室で複数の茶道教室を開くことができるようにした構造の茶室が提案されている。
【０００４】
特許文献３には移動可能なキャスター付きの基台上に、座敷面部、炉枠、炉、背板、床柱、床の間などを設けた簡易型の茶の湯台が提案されている。
【先行技術文献】
【特許文献】
【０００５】
【特許文献１】特開２００８−１０１４０７号公報
【特許文献２】特開２００７−００２５９３号公報
【特許文献３】実開平７−１２０２７号公報
【発明の概要】
【発明が解決しようとする課題】
【０００６】
特許文献１に開示される茶室にあっては、茶室を解体することなく移動させることができる。しかしながら、解体しないまま移動するため設置場所が限られ、例えば屋内に設置するのは搬入が大変で、しかもキャスターで移動できない場合の移動には大きな荷台のトラックを用いなければならない。
【０００７】
特許文献２に開示される茶室は、１つの茶室で複数の茶道教室を開催できるが、茶室自体を解体して搬送できる構造ではないため、茶道教室を開く場所の自由度がない。
【０００８】
特許文献３に開示される簡易型の茶室は分解できないため、小さいとはいえ特許文献１と同様に移動が難しい。また、大きさが決められているため、設置スペースに対する自由度が少ない。
【課題を解決するための手段】
【０００９】
上記の課題を解決するため、本発明に係る組立て及び分解が可能な茶室の床構造は、中央メンバとこの中央メンバを囲む周囲メンバからなり、各メンバは脚部材とこの脚部材の上にセットされる畳載置部材から構成され、各メンバの平面視での外形形状は畳半畳と等しく、前記中央メンバの畳載置部材の１つの角部に寄った位置には窯を入れるための矩形状切欠きが形成され、また前記脚部材は一対の横板と一対の縦板とが蝶番で連結され、前記一対の横板と一対の縦板の一方を更に２枚の半板に分割しこれら半板を蝶番で連結することで、前記脚部材は拡げた状態で矩形枠となり、折り畳んだ状態で一対の横板間または一対の縦板間に２枚重なった半板が挟まれ、折り畳んだ状態で４枚の板が重なる構造とした。
【００１０】
尚、組立てた状態の床構造全体の一体化を図るため、組立て後の全体の脚部材の外側を枠板で固定することが好ましい。
【発明の効果】
【００１１】
本発明に係る茶室の床構造は、中央メンバとこの中央メンバを囲む周囲メンバに分けられ、複数の周囲メンバはその構造が同一であるので、製作および取り扱いが容易である。
【００１２】
特に、周囲メンバの数は制限されないため、中央メンバを囲む周囲メンバの数を調整することで、４畳半、６畳、８畳など茶会の人数に応じて或いは茶会を行う場所の制約に応じて丁度よい大きさの茶室をセットできる。
【００１３】
また各メンバは脚部材と畳載置部材に分けられ、脚部材は折り畳んだ状態で板厚４枚分に収まる構造としているため、収納および運搬に便利である。したがって、狭い階段やエレベータなどによってビル内の会場などに茶室を簡単にセットすることができ、海外での茶の湯の普及にも貢献することができる。
【図面の簡単な説明】
【００１４】
【図１】本発明に係る床構造の全体斜視図（畳あり）
【図２】本発明に係る床構造を構成する中央メンバの全体斜視図（畳あり）
【図３】同中央メンバの斜視図（畳なし）
【図４】中央メンバを構成する脚部材の斜視図
【図５】同脚部材の折り畳み途中の斜視図
【図６】同脚部材の折り畳み完了状態の斜視図
【図７】中央メンバを構成する脚部材の横板を示す図
【図８】中央メンバを構成する脚部材の縦板を示す図
【図９】周囲メンバを構成する脚部材を広げた状態の斜視図
【図１０】周囲メンバを構成する脚部材の横板を示す図
【図１１】周囲メンバを構成する脚部材の縦板を示す図
【発明を実施するための形態】
【００１５】
図１に示すように、本発明に係る床構造は中央メンバ１とこの中央メンバ１の周囲に配置される周囲メンバ２…からなる。実施例では全体の大きさは４畳半のものを示している。
【００１６】
また、前記中央メンバ１の平面視での外形形状は畳半畳と等しくされている。更に、図２及び図３に示すように、中央メンバ１は脚部材３と、畳４を載置するための板状の畳載置部材５から構成される。
【００１７】
畳載置部材５の１つの角部に寄った位置には窯を入れるための矩形状切欠き６が形成されている。この矩形状切欠き６には窯の湯の温度を一定に維持するために使用する電熱器をセットできるボックス状収納部７がセットされている。この収納部７の上には枠体７ａが置かれ、これら収納部７及び枠体７ａは取り外し自在である。また、畳４の形状についても前記矩形状切欠き６の部分をカットした形状とされている。
【００１８】
脚部材３は対向する一対の横板８、８と一対の縦板９、９から構成され、横板８と隣接する縦板９とは側端部の内側が蝶番１０で連結され、また、前記横板８は更に２枚の左右の半板１１、１２に分割され、これら半板１１、１２の突き合わせ側端部の外側が蝶番１３で連結されている。
【００１９】
そして、一対の横板８、８と一対の縦板９、９を広げると、脚部材３の全体形状は図４に示すような矩形状枠となり、この矩形状枠となった脚部材３の上端部に嵌り込む溝部が前記畳載置部材５の下面に形成されている。
開形状の脚部材３の上端部に前記畳載置部材５の下面の溝部を係合することで、脚部材３と畳載置部材５とは一体化され強固にその姿勢を維持できる。
【００２０】
また、一方の縦板９の上端部には収納部７に適合するために段部９ａが形成され、横板８を構成する左右の半板１１、１２の形状は、一方の半板１１の上端部形状が前記収納部７に適合するために段部１１ａが形成されている。
【００２１】
以上の脚部材３を折り畳むには、脚部材３から畳載置部材５を外し、図５に示すように、横板８を構成する左右の半板１１、１２を内側に折り曲げつつ、一対の縦板９、９を重なる方向に移動させる。そして、最終的には図６に示すように、一対の縦板９、９間に折り曲げられた半板１１、１２が重なって押し込まれ、全体として脚部材３は横板８及び縦板９を構成する板材が４枚重なった厚みとなる。
【００２２】
周囲メンバ２の平面視での外形形状は中央メンバ１と同様に畳半畳と等しくされている。そして、周囲メンバ２も脚部材１４と畳載置部材１５から構成されている。
【００２３】
図９乃至図１１に示すように、周囲メンバ２を構成する脚部材１４も中央メンバ１と同様に一対の横板１６と一対の縦板１７から構成され、横板１６と隣接する縦板１７とは側端部の内側が蝶番１８で連結され、また、前記横板１６は更に２枚の左右の半板１９、２０に分割され、これら半板１９、２０の突き合わせ側端部の外側が蝶番２１で連結されている。
【００２４】
ここで、周囲メンバ２にあっては、窯を入れるための矩形状切欠き６がないため、横板１６及び縦板１７には矩形状切欠きに対応するための段部形状が形成されていない。
【００２５】
更に、実際に茶室の床構造を組み立てた後には、中央メンバ１と周囲メンバ２…が動くことがないようにする必要がある。本実施例では組み立てた後の脚部材３の外側を更に拘束する横枠２２と縦枠２３を用意し、これら横枠２２と縦枠２３をボルトなどで連結することで組立て後の床構造が変形したり崩れたりしないようにしている。
【符号の説明】
【００２６】
１…中央メンバ、２…周囲メンバ、３…脚部材、４…畳、５…畳載置部材、６…
窯を入れるための矩形状切欠き、７…収納部、７ａ…枠体、８…横板、９…縦板、９ａ…段部、１０…蝶番、１１、１１ａ…段部、１２…半板、１３…蝶番、１４…脚部材、１５…畳載置部材、１６…横板、１７…縦板、１８…蝶番、１９、２０…半板、２１…蝶番、２２…横枠、２３…縦枠。
【図１】
2014114537.tif 000003
【図２】
2014114537.tif 000004
【図３】
2014114537.tif 000005
【図４】
2014114537.tif 000006
【図５】
2014114537.tif 000007
【図６】
2014114537.tif 000008
【図７】
2014114537.tif 000009
【図８】
2014114537.tif 000010
【図９】
2014114537.tif 000011
【図１０】
2014114537.tif 000012
【図１１】
2014114537.tif 000013